(57)【要約】      （修正有）【課題】草取り用挟み具を用いて草を根ごと掘り起こす作業を力の弱い作業者にとっても行いやすくする草取り用挟み具を提供する。【解決手段】草取り用挟み具１０は、作業者９２が右手９２Ａ（片手）で把持して握る１対の把持片１１と、各把持片１１から一方側に延びた１対の挟持片１３、１４と、各挟持片１３、１４の各先端に設けられた１対の爪部１３Ａ、１４Ａと、土９０の中に圧入させて草９１の根９１Ａを掘り起こす掘り起こし部１２と、を備える。各爪部１３Ａ、１４Ａは、互いの間に草９１を挟みこんだ状態に保持できる。各爪部１３Ａ、１４Ａは、各端面１３Ｂ、１４Ｂが互いに向かい合わせとなるように、それぞれ異なる曲がり量で曲げられる。掘り起こし部１２は、曲がり量が大きい一方の爪部１３Ａに隣接して、同側の挟持片１３から爪部１３Ａの端面１３Ｂに向かって延びる側縁部１３Ｃに設けられ、かつ、この側縁部１３Ｃのある側から土９０の中に圧入される。【選択図】図６
0003178985.tif 000002
【実用新案登録請求の範囲】
【請求項１】
作業者が片手で把持して使用することができる草取り用挟み具であって、
前記作業者が前記片手で把持して握ることで互いの間隔を狭めることができる１対の把持片と、
前記各把持片から一方側に向けて長尺に延びるように形成された１対の挟持片と、
前記各挟持片の前記一方側の先端にそれぞれ設けられた１対の爪部と、
土の中に圧入させて当該土の中にある草の根を掘り起こすことができる掘り起こし部と、を備え、
前記各挟持片は、前記各把持片の間隔が狭められた際に、前記各爪部の間隔を狭めることで、当該各爪部の間に前記草を挟みこんだ状態に保持することができるように形成され、
前記各爪部は、当該各爪部の各端面が互いに向かい合わせとなるように曲げられて形成され、かつ、前記各爪部のうち一方の曲がり量が他方の曲がり量よりも大きくなるように形成され、
前記掘り起こし部は、曲がり量が大きい前記一方の前記爪部において、当該爪部が設けられた前記挟持片から前記爪部の前記端面に向かって延びる側縁部から連続するように設けられ、かつ、当該側縁部のある側から前記土の中に圧入されるように構成されていることを特徴とする草取り用挟み具。
【請求項２】
請求項１に記載の草取り用挟み具であって、
前記掘り起こし部は、当該掘り起こし部を補強する補強部を備えていることを特徴とする草取り用挟み具。
【請求項３】
請求項１または請求項２に記載の草取り用挟み具であって、
前記掘り起こし部は、前記爪部の前記側縁部から当該側縁部に沿って突出することで前記土をかき分けることができるかき分け部を備えていることを特徴とする草取り用挟み具。
【考案の詳細な説明】
【技術分野】
【０００１】
本考案は、草取り用挟み具に関する。詳しくは、作業者が片手で把持して使用することができる草取り用挟み具に関する。
【背景技術】
【０００２】
この種の草取り用挟み具については、例えば特許文献１に開示されている技術が知られている。この技術では、火ばさみ状に形成した草取り器具の先端に土に突き刺すための突設部を設けることで、草を根ごと掘り起こして除去する草取り作業を、片手だけで、かつ、手を汚すことなく行うことを実現させている。
【先行技術文献】
【特許文献】
【０００３】
【特許文献１】特開２００６−２１７８８９号公報
【考案の概要】
【考案が解決しようとする課題】
【０００４】
しかし、上記特許文献１に開示されている技術では、草取り器具の突設部を土に突き刺す際に、草取り器具を把持している上肢により草取り器具を強く押す必要がある。このため、上記特許文献１の技術には、力の弱い作業者にとって草を根ごと掘り起こす作業が難しいという問題があった。
本考案は、上記した問題を解決するものとして創案されたものである。すなわち、本考案が解決しようとする課題は、草取り用挟み具を用いて草を根ごと掘り起こす作業を、作業者の上肢の筋力を発揮しやすい動きにより行うことを可能として、上記作業を力の弱い作業者にとっても行いやすくすることである。
【課題を解決するための手段】
【０００５】
上記課題を解決するために、本考案の草取り用挟み具は次の手段をとる。
まず、第１の考案は、作業者が片手で把持して使用することができる草取り用挟み具である。この草取り用挟み具は、作業者が片手で把持して握ることで互いの間隔を狭めることができる１対の把持片と、この各把持片から一方側に向けて長尺に延びるように形成された１対の挟持片と、各挟持片の上記一方側の先端にそれぞれ設けられた１対の爪部と、土の中に圧入させてこの土の中にある草の根を掘り起こすことができる掘り起こし部と、を備えている。上記各挟持片は、上記各把持片の間隔が狭められた際に、上記各爪部の間隔を狭めることで、この各爪部の間に草を挟みこんだ状態に保持することができるように形成されている。上記各爪部は、この各爪部の各端面が互いに向かい合わせとなるように曲げられて形成され、かつ、上記各爪部のうち一方の曲がり量が他方の曲がり量よりも大きくなるように形成されている。上記掘り起こし部は、曲がり量が大きい一方の爪部において、この爪部が設けられた挟持片から上記爪部の端面に向かって延びる側縁部から連続するように設けられ、かつ、この側縁部のある側から土の中に圧入されるように構成されている。
ヒトの上肢には、ものを押すときと比べてものを引くときに筋力を発揮しやすいという性質がある。ここで、上記第１の考案によれば、草取り用挟み具の掘り起こし部を作業者の手前下側に向けた状態で地面に載置させ、上記掘り起こし部を上記地面に向かって押さえつけながら作業者の手前側に引き寄せることで、この掘り起こし部を土の中に圧入させることができる。このため、作業者は、上肢の筋力を発揮しやすいものを引く動きにより上記掘り起こし部を土の中に圧入させてこの土の中にある草の根を掘り起こすことができる。これにより、草取り用挟み具を用いて草を根ごと掘り起こす作業を、力の弱い作業者にとっても行いやすくすることができる。また、草取り用挟み具において、各爪部を各端面が向かい合わせとなるように曲げることで、この各端面の間に草を挟みこむ力を集中させて、この草を保持する保持力を向上させることができる。また、草取り用挟み具において、各爪部の一方を他方よりも大きく曲げることで、各爪部の間に草を挟みこむ際に把持片の対を握りこむ握り量を減らしながら、各爪部の各端面がずれて上記各爪部が深く噛み合うことを抑えることができる。また、草取り用挟み具において、掘り起こし部を曲がり量が大きい側の爪部の側縁部から連続するように設けることで、上記掘り起こし部が土の中に位置した状態であっても、上記掘り起こし部に隣接する側の爪部の端面を土の上に出して草を挟みこむことができる。
【０００６】
ついで、第２の考案は、上述した第１の考案において、上記掘り起こし部は、この掘り起こし部を補強する補強部を備えているものである。
この第２の考案によれば、土の中にある草の根を掘り起こす草取り用挟み具において、上記土からの大きな反力がかかる掘り起こし部が補強部により補強される。これにより、草取り用挟み具の耐久性を向上させることができる。
【０００７】
さらに、第３の考案は、上述した第１または第２の考案において、上記掘り起こし部は、上記爪部の側縁部からこの側縁部に沿って突出することで土をかき分けることができるかき分け部を備えているものである。
この第３の考案によれば、土の中にある草の根を掘り起こす草取り用挟み具において、かき分け部が土をかき分けることで、掘り起こし部を土に圧入させる際に掘り起こし部が土から受ける反力を低減させることができる。これにより、草取り用挟み具において掘り起こし部の損耗を抑えて、草取り用挟み具の耐久性を向上させることができる。また、草取り用挟み具のかき分け部を爪部の側縁部から突出させて形成することにより、このかき分け部が損耗した場合でも上記草取り用挟み具を使用できるようにして、この草取り用挟み具をより長い期間使用に供することができる。
【図面の簡単な説明】
【０００８】
【図１】本考案の第１の実施形態に係る草取り用挟み具を表した斜視図である。
【図２】図１の草取り用挟み具の左側面図である。
【図３】図２のＩＩＩ線矢視図である。
【図４】図２のＩＶ線矢視図である。
【図５】図１の草取り用挟み具の使用方法を表した平面図であり、草取り用挟み具の掘り起こし部を地面の上に載置させた状態を表す。
【図６】図１の草取り用挟み具の使用方法を表した側面図であり、草取り用挟み具の掘り起こし部により草の根を掘り起こしている状態を表す。
【図７】図１の草取り用挟み具の使用方法を表した側面図であり、草取り用挟み具の挟持片の対により草を挟みこんだ状態に保持している状態を表す。
【図８】図１の草取り用挟み具の異なる使用方法を表した側面図であり、草取り用挟み具の掘り起こし部により草の周囲の土をかき起こしている状態を表す。
【図９】本考案の第２の実施形態に係る草取り用挟み具を表した斜視図である。
【図１０】図９の草取り用挟み具の左側面図である。
【図１１】図１０のＸＩ線矢視図である。
【図１２】図９の草取り用挟み具の使用状態を表した側面図であり、草取り用挟み具の掘り起こし部により草の根を掘り起こしている状態を表す。
【考案を実施するための形態】
【０００９】
以下に、本考案を実施するための形態について、図面を用いて説明する。なお、以下において、草取り用挟み具の各把持片および各挟持片の強度を向上させる凹凸などの付随的な構成については、その詳細な説明を省略する。
〈第１の実施形態〉
始めに、第１の実施形態に係る草取り用挟み具１０の構成について、図１ないし図７を用いて説明する。この草取り用挟み具１０は、図１および図２に示すように、長尺の帯状に形成された１枚の金属板を曲げ加工および研削加工することにより、全体が長尺の火ばさみ状に曲げ返された形に形成されている。これにより、草取り用挟み具１０は、両端が同じ側に向けて曲げられた板ばね部１５と、この板ばね部１５の各端部から長尺に延びる１対の把持片１１と、この各把持片１１の各先端から長尺に延びる１対の挟持片１３、１４と、この各挟持片の各先端に設けられた１組の爪部１３Ａ、１４Ａと、を有した形に形成されている。
【００１０】
上記板ばね部１５は、図２に示すように、外力がはたらかない自然状態において、各把持片１１および各挟持片１３、１４ならびに各爪部１３Ａ、１４Ａを拡開させる弾発力を発揮するように形成されている。上記各把持片１１は、図２および図７に示すように、作業者９２が片手（図７では右手９２Ａ）で把持して上記板ばね部１５の弾発力に抗して握ることで、互いの間隔を狭めることができるように形成されている。上記各挟持片１３、１４は、上記各把持片１１の間隔が狭められた際に、上記各爪部１３Ａ、１４Ａの間隔を狭めることで、この各爪部１３Ａ、１４Ａの間に草９１を挟みこんだ状態に保持する（図７参照）ことができるように形成されている。
上記構成によれば、作業者９２は、草取り用挟み具１０の各把持片１１を握る力を加減することで、地面９０Ａに生えた草９１を除去する草取り作業（図５ないし図７参照）を片手だけで行うことができる。ここで、上記各把持片１１と上記各爪部１３Ａ、１４Ａとが上記各挟持片１３、１４を挟んで離間されていることにより、作業者９２は、上記草取り作業を、手を汚すことなく行うことができる。
【００１１】
上記各爪部１３Ａ、１４Ａは、図２ないし図４に示すように、それぞれ線状の端面１３Ｂ、１４Ｂを有する薄板形状に形成され、かつ、この各端面１３Ｂ、１４Ｂが互いに向かい合わせとなるように曲げ加工されて形成されている。この各端面１３Ｂ、１４Ｂは、上述した各把持片１１の間隔が狭められた際に、互いに対向した状態に当接するように研削加工されて形成されることで、この各端面１３Ｂ、１４Ｂの間に草９１（図７参照）を挟みこんだ状態に保持することができるようになっている。
上記構成によれば、草取り用挟み具１０において、草９１を挟みこむ力を上記各端面１３Ｂ、１４Ｂの間に集中させることができる。これにより、上記草９１を保持する保持力を向上させることができる。
【００１２】
ここで、上記各爪部１３Ａ、１４Ａは、図２に示すように、一方の爪部１３Ａがより大きく曲げ加工されて形成され、他方の爪部１４Ａがより小さく曲げ加工されて形成されている。爪部１３Ａを大きく曲げて形成することにより、草取り用挟み具１０において外力がはたらかない自然状態での各端面１３Ｂ、１４Ｂの間隔を狭めて、この各端面１３Ｂ、１４Ｂの間に草９１を挟みこむ際に上述した把持片１１の対を握りこむ握り量を減らすことができる。
また、爪部１４Ａを爪部１３Ａよりも小さく曲げて形成することにより、各爪部１３Ａ、１４Ａの各端面１３Ｂ、１４Ｂがずれて上記各爪部１３Ａ、１４Ａが深く噛み合うことを抑えることができる。
【００１３】
上記爪部１３Ａは、図１および図２に示すように、上記挟持片１３から連続して、緩やかなカーブを描くように曲げ加工されて形成されている。これにより、爪部１３Ａには、図２および図４に示すように、この爪部１３Ａにおいて挟持片１３から上記端面１３Ｂに向かって延びる側縁部１３Ｃから連続して、緩やかに湾曲した凹みをなす掘り起こし部１２が形成されている。
ここで、上記側縁部１３Ｃは、上記爪部１３Ａのカーブに対応した緩やかな曲線形状に形成されて、上記掘り起こし部１２に対して面一となるように形成されている。これにより、作業者９２は、図６および図７に示すように、上記掘り起こし部１２を上記側縁部１３Ｃのある側から土９０の中に圧入させて、この土９０の中にある草９１の根９１Ａを掘り起こすことができる。
【００１４】
ついで、上述した草取り用挟み具１０の使用方法について、図５ないし図９を用いて説明する。ここで、上記草取り用挟み具１０は、その全体が各爪部１３Ａ、１４Ａの各端面１３Ｂ、１４Ｂに沿う方向（図３および図４で見て上下方向）に対称な形状に形成されているため、右手でも左手でも同じように扱うことができる。しかしながら、以下においては、便宜的に作業者９２（図５参照）は右利きであって利き手である右手９２Ａで上記草取り用挟み具１０を扱うものとして説明を行う。
また、以下においては、作業者９２は土の地面９０Ａにしゃがんだ状態で、作業者９２の前方の地面９０Ａ（図５参照）に生えた草９１を除去するものとして説明を行う。しかしながら、この作業者９２と地面９０Ａおよび草９１との相対位置は、状況に応じて変化されるものである。
【００１５】
上述した草取り用挟み具１０を使用して土９０に生えた草９１を除去する草取り作業を行う際には、作業者９２は、まず、図５ないし図７に示すように、その右手９２Ａで草取り用挟み具１０の把持片１１の対を把持する。このとき、作業者９２は、上記草取り用挟み具１０を、板ばね部１５が右手９２Ａの小指側（図５では右下側）を向き、各爪部１３Ａ、１４Ａが右手９２Ａの親指側（図５では左上側）を向いた状態となるように把持する。
また、上記草取り用挟み具１０を把持する右手９２Ａにおいて、親指は小さく曲げられた爪部１４Ａがある側の把持片１１にかけられ、親指以外の指は大きく曲げられた爪部１３Ａがある側の把持片１１にかけられる。これにより、作業者９２に把持される草取り用挟み具１０において、上記作業者９２が無理な姿勢をしなくても、爪部１３Ａの端面１３Ｂを作業者９２の左側に向けた状態とすることができる。
【００１６】
ついで、作業者９２は、図５に示すように、上記草取り用挟み具１０をその爪部１３Ａの端面１３Ｂが作業者９２の左側を向くように把持した状態で、この草取り用挟み具１０の掘り起こし部１２を、除去されるべき草９１の近くで、かつ、この草９１よりも遠い側（図５では上側）の地面９０Ａに載置する。そして、作業者９２は、草取り用挟み具１０をその爪部１３Ａの端面１３Ｂが上側を向くように傾けることで、上記掘り起こし部１２を作業者９２の手前下側に向けた状態（すなわち、図６に示す掘り起こし部１２の角度状態）とする。
この際、草取り用挟み具１０はその全体が長尺に形成されているため、作業者９２は、草取り用挟み具１０の掘り起こし部１２を、楽に作業者９２から遠い位置の地面９０Ａに載置することができる。また、作業者９２は、草取り用挟み具１０をその各爪部１３Ａ、１４Ａが右手９２Ａの親指側（図５では左上側）を向いた状態に把持することで、草取り用挟み具１０の掘り起こし部１２を、楽に除去されるべき草９１の近くに載置させることができる。
【００１７】
続いて、作業者９２は、図５および図６に示すように、掘り起こし部１２が地面９０Ａに載置された状態の草取り用挟み具１０を、地面９０Ａに向かって押さえつけながら作業者９２の手前側（草９１が生えている側、図５では下側）に引き寄せる。このとき、地面９０Ａに載置された掘り起こし部１２は、作業者９２の手前下側（図６で見て右下側）に向けられているため、地面９０Ａをかき起こしながら草９１の下側にある土９０の中に圧入される。
そして、作業者９２は、図６および図７に示すように、土９０の中に圧入された掘り起こし部１２を土９０から引き抜くように草取り用挟み具１０を動かして、この土９０の中にある草９１の根９１Ａを引っ掛けて掘り起こす。このため、作業者９２は、上肢の筋力を発揮しやすいものを引く動きにより上記掘り起こし部１２を土９０の中に圧入させてこの土９０の中にある草９１の根９１Ａを掘り起こすことができる。これにより、草取り用挟み具１０を用いて草９１を根９１Ａごと掘り起こす作業を、力の弱い作業者にとっても行いやすくすることができる。
【００１８】
ところで、草取り用挟み具１０の掘り起こし部１２は、上述もしたように、緩やかに湾曲した凹みをなすように形成されている。このため、上述した方法により土９０の中にある草９１の根９１Ａを掘り起こすと、図７に示すように、上記草９１が上記草取り用挟み具１０の掘り起こし部１２から抜けて、草取り用挟み具１０の爪部１３Ａ、１４Ａの各端面１３Ｂ、１４Ｂの間に位置される。これにより、作業者９２は、上記草取り用挟み具１０の把持片１１の対を握りこむことで、上記爪部１３Ａ、１４Ａの各端面１３Ｂ、１４Ｂの間に根９１Ａが掘り起こされた草９１を挟みこんだ状態に保持して、この草９１を土９０から除去することができる。
ここで、上記草取り用挟み具１０において、掘り起こし部１２は曲がり量が大きい側の爪部１３Ａの側縁部１３Ｃから連続するように設けられている。これにより、上記掘り起こし部１２が土９０の中に位置した状態（図７参照）であっても、上記掘り起こし部１２に隣接する側の爪部１３Ａの端面１３Ｂを土９０の上に出して草９１を挟みこむことができる。
【００１９】
なお、草取り用挟み具１０の使用方法は上述したものに限定されない。すなわち、例えば草取り用挟み具１０の掘り起こし部１２により草９１の根９１Ａを土９０から掘り起こした後に、草取り用挟み具１０の全体を一度土９０の上に引き抜いてもよい。この場合、作業者９２は、把持している草取り用挟み具１０を適宜持ち替えることで、この草取り用挟み具１０の各爪部１３Ａ、１４Ａに草９１を挟みこんだ状態に保持する保持力を向上させることができる。
また、草９１の根９１Ａを掘り起こすことなく草９１を草取り用挟み具１０の爪部１３Ａ、１４Ａの間に挟みこみ、上記草９１を土９０から引き抜いて除去してもよい。この場合、図８に示すように、前もって草取り用挟み具１０の掘り起こし部１２により草９１の周囲の土９０をかき起こして草９１の根９１Ａを部分的に露出させておくことで、上記草９１を土９０から引き抜くために必要な引き抜き力を低減させることができる。
【００２０】
〈第２の実施形態〉
続いて、第２の実施形態に係る草取り用挟み具２０の構成について、図９ないし図１２を用いて説明する。第２の実施形態に係る草取り用挟み具２０は、第１の実施形態に係る草取り用挟み具１０を変形した実施形態である。したがって、上記第１の実施形態に係る草取り用挟み具１０の各構成と共通する構成については、第１の実施形態に係る草取り用挟み具１０の各構成に付した符号から、その十の位の数字を「２」に置き換えた符号を付して対応させ、その詳細な説明を省略する。
第２の実施形態の草取り用挟み具２０は、図９および図１０に示すように、第１の実施形態における掘り起こし部１２を、補強部２２Ａおよびかき分け部２２Ｂを備えた掘り起こし部２２に置き換えたものである。
【００２１】
上記補強部２２Ａは、図１０および図１１に示すように、爪部２３Ａから挟持片２４とは反対側に向かって突出する１本のビーディングとして形成されている。また、補強部２２Ａのビーディングは、挟持片２３の爪部２３Ａ側の端部中央から爪部２３Ａの中央に向かって延びるように形成されている。
上記構成によれば、土９０の中にある草９１の根９１Ａを掘り起こす草取り用挟み具２０（図１２参照）において、上記土９０からの大きな反力がかかる掘り起こし部２２が補強部２２Ａにより補強される。これにより、上記草取り用挟み具２０の耐久性を向上させることができる。
【００２２】
上記かき分け部２２Ｂは、図１０および図１１に示すように、爪部２３Ａの各側縁部２３Ｃから、この各側縁部２３Ｃと上記掘り起こし部２２とに対してそれぞれ面一となるように突出して形成されている。このため、かき分け部２２Ｂは、図１２に示すように、上記掘り起こし部２２が側縁部２３Ｃのある側から土９０の中に圧入された際に、この土９０をかき分けるようになっている。
上記構成によれば、土９０の中にある草９１の根９１Ａを掘り起こす草取り用挟み具２０（図１２参照）において、かき分け部２２Ｂが土９０をかき分けることで、掘り起こし部２２を土９０に圧入させる際に掘り起こし部２２が土９０から受ける反力を低減させることができる。これにより、草取り用挟み具２０において掘り起こし部２２の損耗を抑えて、上記草取り用挟み具２０の耐久性を向上させることができる。また、草取り用挟み具２０のかき分け部２２Ｂを爪部２３Ａの側縁部２３Ｃから突出させて形成することにより、このかき分け部２２Ｂが損耗した場合でも上記草取り用挟み具２０を使用できるようにして、この草取り用挟み具２０をより長い期間使用に供することができる。
【００２３】
また、かき分け部２２Ｂは、図９ないし図１２に示すように、掘り起こし部２２の凹みの底に対応する部分（各図面の目印９３を参照）で突出量が最大となる弧をなすように形成されている。このため、草取り用挟み具２０において、挟持片２３を土９０の中に深く圧入させることなく掘り起こし部２２のかき分け部２２Ｂを土９０の中に深く圧入させることができる。これにより、上記草取り用挟み具２０を用いて土９０の中にある草９１の根９１Ａを掘り起こす作業において、草取り用挟み具２０の掘り起こし部２２を土９０に圧入させる際の抵抗力を低減させて、上記作業を力の弱い作業者にとっても行いやすくすることができる。
なお、上記目印９３は、かき分け部２２Ｂの突出の位置を分かり易くするために便宜的に図面に付加したものであり、実際には存在しないものである。
【００２４】
本考案は、上述した第１および第２の実施形態で説明した外観、構成に限定されず、本考案の要旨を変更しない範囲で種々の変更、追加、削除が可能である。例えば、以下のような各種の形態を実施することができる。
（１）草取り用挟み具は、その全体が火ばさみ状に形成されたものに限定されない。すなわち、草取り用挟み具において、貫通孔を挟んで一方側に挟持片、他方側に把持片を備えた棒状部材の対を、その各貫通孔に連通させた要ねじを介して互いに回動可能に連結させた洋ばさみ状の構造を採用することができる。
（２）掘り起こし部を補強する補強部の構造および数ならびに配設位置は上述したものに限定されない。すなわち、掘り起こし部を補強する補強部として、リブ、ヘミング、カーリングなどの任意の補強構造を採用することができ、補強部の数および配設位置は適宜変更することができる。
【符号の説明】
【００２５】
１０    草取り用挟み具
１１    把持片
１２    掘り起こし部
１３    挟持片
１３Ａ  爪部
１３Ｂ  端面
１３Ｃ  側縁部
１４    挟持片
１４Ａ  爪部
１４Ｂ  端面
１５    板ばね部
２０    草取り用挟み具
２１    把持片
２２    掘り起こし部
２２Ａ  補強部
２２Ｂ  かき分け部
２３    挟持片
２３Ａ  爪部
２３Ｂ  端面
２３Ｃ  側縁部
２４    挟持片
２４Ａ  爪部
２４Ｂ  端面
２５    板ばね部
９０    土
９０Ａ  地面
９１    草
９１Ａ  根
９２    作業者
９２Ａ  右手
９３    目印
【図１】
0003178985.tif 000003
【図２】
0003178985.tif 000004
【図３】
0003178985.tif 000005
【図４】
0003178985.tif 000006
【図５】
0003178985.tif 000007
【図６】
0003178985.tif 000008
【図７】
0003178985.tif 000009
【図８】
0003178985.tif 000010
【図９】
0003178985.tif 000011
【図１０】
0003178985.tif 000012
【図１１】
0003178985.tif 000013
【図１２】
0003178985.tif 000014